(57)【要約】【課題】任意のメーラで画像データを受信することのできる画像メール送信装置及び方法を提供することを目的とする。【解決手段】ユーザがメールアドレス等の文字を入力可能な文字入力部１、ユーザがメール送信等の指示を入力可能な指示部２、入力された文字等を表示する表示部３、これらの手段を制御するユーザインタフェース部４、送信するメールを格納するメールデータ格納部５、画像ファイルの情報を格納する画像ファイル格納部６、画像ファイルからデータサイズ等の情報を取り出す画像データ解析部７、取り出した情報を格納する画像情報格納手段８、圧縮画像を解凍する画像データ解凍部９、画像を圧縮する画像データ圧縮部１０、メールデータを生成するＭＩＭＥエンコード部１１、それに、メールデータ送信部、通信部１３、制御部１４を有する画像メール送信装置。【選択図】  図１
2004234454.tif 000002
【特許請求の範囲】
【請求項１】
ユーザがメールアドレス等の文字を入力可能な文字入力手段と、
ユーザがメール送信等の指示を入力可能な指示手段と、
入力された文字等を表示する表示手段と、
前記文字入力手段、前記指示手段および前記表示手段を制御するユーザインタフェース手段と、
送信するメールを格納するメールデータ格納手段と、
画像ファイルの情報を格納する画像ファイル格納手段と、
前記画像ファイル格納手段に格納された画像ファイルからデータサイズ等の情報を取り出す画像データ解析部と、
取り出した情報を格納する画像情報格納手段と、
送信するメールデータを生成するＭＩＭＥエンコード手段と、
生成されたメールデータを送信するメール送信手段と、
インターネットと通信を行う通信手段と、
前記ユーザインタフェース手段、前記メールデータ格納手段、前記画像ファイル格納手段、前記画像データ解析手段、前記画像情報格納手段、前記ＭＩＭＥエンコード手段、前記メール送信手段および前記通信手段を制御する制御手段と
を有することを特徴とする画像メール送信装置。
【請求項２】
前記画像データを圧縮する画像データ圧縮手段を有することを特徴とする請求項１記載の画像メール送信装置。
【請求項３】
前記圧縮された画像データを解凍する画像データ解凍手段を有することを特徴とする請求項２記載の画像メール送信装置。
【請求項４】
画像ファイルサイズを閾値と比較する手段と、画像ファイルサイズが閾値を超えているときは画像ファイルを解凍して圧縮率を変更すると共にその圧縮率で画像ファイルを圧縮する手段を有することを特徴とする請求項３記載の画像メール送信装置。
【請求項５】
ユーザが入力したメールアドレス、タイトル、本文等の文字を入力処理する文字入力ステップと、
ユーザが入力したメール送信等の指示を入力処理する指示ステップと、
ユーザが入力した前記文字を表示部に表示する表示ステップと、
送信するメールをメールデータ格納部に格納するメールデータ格納ステップと、
画像ファイルの情報を格納する画像ファイル格納ステップと、
前記画像ファイルからデータサイズ等の情報を取り出す画像データ解析部と、
取り出した情報を格納する画像情報格納ステップと、
送信するメールデータを生成するＭＩＭＥエンコードステップと、
生成されたメールデータを送信するメール送信ステップと、
インターネットと通信を行う通信ステップと
を有することを特徴とする画像メール送信方法。
【請求項６】
前記画像データを圧縮する画像データ圧縮ステップを有することを特徴とする請求項５記載の画像メール送信方法。
【請求項７】
前記圧縮された画像データを解凍する画像データ解凍ステップを有することを特徴とする請求項６記載の画像メール送信方法。
【請求項８】
画像ファイルサイズを閾値と比較するステップと、画像ファイルサイズが閾値を超えているときは画像ファイルを解凍して圧縮率を変更すると共にその圧縮率で画像ファイルを圧縮するステップを有することを特徴とする請求項７記載の画像メール送信方法。
【発明の詳細な説明】
【０００１】
【発明の属する技術分野】
本発明は、画像データをメール送信するための画像メール送信装置及び方法に関する。
【０００２】
【従来の技術】
電子メールを用いて、デジタルカメラ写真等の画像ファイルを複数添付ファイルとして送信する際、メールのサイズが所定の大きさを越すとメールサーバの送信制限により送れないことが発生する。従来の電子メールソフト（以下「メーラ」という）では、この問題に対応するため、エンコードしたデータを分割送信し、受信側で再結合する方法を用いている（例えば、特許文献１参照。）。この方法により、メール１件あたりのサイズを小さくすることができ、サイズによる送信制限を回避することができる。
【０００３】
【特許文献１】
特開平１１−２２０６０９号公報
【０００４】
【発明が解決しようとする課題】
しかしながら、従来の方法では受信側にも再結合の機能が必要であり、対応するメーラを持っていなければ写真を復元できないことが発生する。
【０００５】
本発明は、上記従来の問題点を解決するもので、任意のメーラで画像データを受信することのできる画像メール送信装置及び方法を提供することを目的とする。
【０００６】
【課題を解決するための手段】
この目的を達成するために本発明の画像メール送信装置および方法においては、ユーザがメールアドレス等の文字を入力可能な文字入力手段と、ユーザがメール送信等の指示を入力可能な指示手段と、入力された文字等を表示する表示手段と、これらの手段を制御するユーザインタフェース手段と、送信するメールを格納するメールデータ格納手段と、画像ファイルの情報を格納する画像ファイル格納手段と、前記画像ファイル格納手段に格納された画像ファイルからデータサイズ等の情報を取り出す画像データ解析部と、取り出した情報を格納する画像情報格納手段と、送信するメールデータを生成するＭＩＭＥエンコード手段と、生成されたメールデータを送信するメール送信手段と、インターネットと通信を行う通信手段と、これらの各手段を制御する制御手段とからなる構成としたものである。
【０００７】
この発明によれば、画像データを受信することのできる画像メール送信装置及び方法が得られる。
【０００８】
【発明の実施の形態】
本発明の請求項１に記載の発明は、ユーザがメールアドレス等の文字を入力可能な文字入力手段と、ユーザがメール送信等の指示を入力可能な指示手段と、入力された文字等を表示する表示手段と、文字入力手段、指示手段および表示手段を制御するユーザインタフェース手段と、送信するメールを格納するメールデータ格納手段と、画像ファイルの情報を格納する画像ファイル格納手段と、画像ファイル格納手段に格納された画像ファイルからデータサイズ等の情報を取り出す画像データ解析部と、取り出した情報を格納する画像情報格納手段と、送信するメールデータを生成するＭＩＭＥエンコード手段と、生成されたメールデータを送信するメール送信手段と、インターネットと通信を行う通信手段と、ユーザインタフェース手段、メールデータ格納手段、画像ファイル格納手段、画像データ解析手段、画像情報格納手段、ＭＩＭＥエンコード手段、メール送信手段および通信手段を制御する制御手段とを有する画像メール送信装置としたものである。
【０００９】
この発明においては、画像ファイルサイズの合計が閾値を超えている場合はファイル単位で分割してメール送信することで、メールサーバのサイズによる送信制限を回避することができ、任意のメーラで受信することができるメールを送信することができるという作用を有する。
【００１０】
請求項２に記載の発明は、画像データを圧縮する画像データ圧縮手段を有する請求項１記載の画像メール送信装置としたものであり、画像ファイルサイズの合計が閾値を超えている場合はデータ圧縮を行い、それでもさらに閾値を超えている場合はファイル単位で分割してメール送信することで、メールサーバのサイズによる送信制限を回避することができ、任意のメーラで受信することができるメールを送信することができるという作用を有する。
【００１１】
請求項３に記載の発明は、圧縮された画像データを解凍する画像データ解凍手段を有する請求項２記載の画像メール送信装置としたものであり、圧縮された画像データを解凍手段により解凍できるという作用を有する。
【００１２】
請求項４に記載の発明は、画像ファイルサイズを閾値と比較する手段と、画像ファイルサイズが閾値を超えているときは画像ファイルを解凍して圧縮率を変更すると共にその圧縮率で画像ファイルを圧縮する手段を有する請求項３記載の画像メール送信装置としたものであり、画像ファイルの圧縮率を調整し、送信サイズ制限以下になるよう画像ファイルを個別に送信することで、メールサーバのサイズによる送信制限を回避することができ、任意のメーラで受信することができるメールを送信することができるという作用を有する。
【００１３】
請求項５に記載の発明は、ユーザが入力したメールアドレス、タイトル、本文等の文字を入力処理する文字入力ステップと、ユーザが入力したメール送信等の指示を入力処理する指示ステップと、ユーザが入力した文字を表示部に表示する表示ステップと、送信するメールをメールデータ格納部に格納するメールデータ格納ステップと、画像ファイルの情報を格納する画像ファイル格納ステップと、画像ファイルからデータサイズ等の情報を取り出す画像データ解析部と、取り出した情報を格納する画像情報格納ステップと、送信するメールデータを生成するＭＩＭＥエンコードステップと、生成されたメールデータを送信するメール送信ステップと、インターネットと通信を行う通信ステップとを有する画像メール送信方法である。
【００１４】
この発明においては、画像ファイルサイズの合計が閾値を超えている場合はファイル単位で分割してメール送信することで、メールサーバのサイズによる送信制限を回避することができ、任意のメーラで受信することができるメールを送信することができるという作用を有する。
【００１５】
請求項６に記載の発明は、画像データを圧縮する画像データ圧縮ステップを有する請求項５記載の画像メール送信方法としたものであり、画像ファイルサイズの合計が閾値を超えている場合はデータ圧縮を行い、それでもさらに閾値を超えている場合はファイル単位で分割してメール送信することで、メールサーバのサイズによる送信制限を回避することができ、任意のメーラで受信することができるメールを送信することができるという作用を有する。
【００１６】
請求項７に記載の発明は、圧縮された画像データを解凍する画像データ解凍ステップを有する請求項６記載の画像メール送信方法としたものであり、圧縮された画像データを解凍手段により解凍できるという作用を有する。
【００１７】
請求項８に記載の発明は、画像ファイルサイズを閾値と比較するステップと、画像ファイルサイズが閾値を超えているときは画像ファイルを解凍して圧縮率を変更すると共にその圧縮率で画像ファイルを圧縮するステップを有する請求項７記載の画像メール送信方法としたものであり、画像ファイルの圧縮率を調整し、送信サイズ制限以下になるよう画像ファイルを個別に送信することで、メールサーバのサイズによる送信制限を回避することができ、任意のメーラで受信することができるメールを送信することができるという作用を有する。
【００１８】
以下本発明の実施の形態について、図面を参照しながら説明する。
【００１９】
（実施の形態１）
本発明の実施の形態１を、図１〜図４および図６〜図１５を用いて説明する。
【００２０】
図１は本発明の実施の形態１および２のブロック図である。
【００２１】
図１において、実施の形態１の画像メール送信装置は、ユーザがメール宛先，タイトル，本文を入力する文字入力部１、ユーザが添付する画像データを選択したりメールの送信を指示する指示部２、メール宛先，タイトル，本文，画像データの一覧等を表示する表示部３、文字入力部１，指示部２，表示部３と制御部１４との間の信号のやりとりを制御するユーザインタフェース部４、送信するメールを格納するメールデータ格納部５、画像ファイルの情報を格納する画像ファイル格納部６、画像ファイル格納部６に格納された画像ファイルからデータサイズ等の情報を取り出す画像データ解析部７、取り出した情報を格納する画像情報格納部８、圧縮された画像データを解凍する画像データ解凍部９、画像データを圧縮する画像データ圧縮部１０、送信するメールデータを生成するＭＩＭＥエンコード部１１、生成されたメールデータを送信するメールデータ送信部１２、インターネットと通信を行う通信部１３、前記各部を制御する制御部１４を備えている。
【００２２】
図２は本発明の実施の形態１および２のハードウェア構成図である。
【００２３】
図２において、画像メール送信装置のハードウエアは、データの処理を行うＣＰＵ１５、一時記憶装置としてのＲＡＭ１６、プログラム記憶領域としてのＲＯＭ１７、ネットワークにより接続されている各ブロック間の伝送制御を行うネットワーク装置１８、後述の赤外線リモコンからの信号を受信するリモコン受信部１９、データを表示する液晶ディスプレイパネル等の表示装置２０、ＣＤ−ＲＯＭやＳＤメモリカード等の記録媒体に記録されたデータを読み取る読取装置２１を有している。
【００２４】
図３は本発明の実施の形態１および２の赤外線リモコンの概要図である。
【００２５】
この赤外線リモコンには、４つの選択ボタン、決定ボタン、メニューボタン、戻るボタン、テンキーが設けられており、ユーザによる操作内容が赤外線信号によりリモコン受信部１９に送信されるようになっている。
【００２６】
本発明の実施の形態１の画像メール送信装置の動作を、図４に示す概略フローチャートを用いて以下説明する。
【００２７】
図４は本発明の実施の形態１の動作を示す概略フローチャートである。
【００２８】
Ｓ１０１において、ユーザが、文字入力部１により、メール宛先、タイトル、本文を入力し、ユーザインタフェース部４が入力されたメール宛先、タイトル、本文を表示部３に表示する。このときの表示部３に表示される画面の例を図６に示す。
【００２９】
図６は本発明の実施の形態１の表示画面を示す図である。
【００３０】
Ｓ１０２において、制御部１４が入力されたメール宛先、タイトル、本文をメールデータ格納部５に格納する。このとき、メールデータ格納部５には図７に示すデータが格納される。
【００３１】
図７は本発明の実施の形態１のデータを示す図である。
【００３２】
Ｓ１０３において、ユーザが指示部２により、添付する画像データを複数選択し、ユーザインタフェース部４が選択された画像データの一覧を表示部３に表示する。このときの表示部３に表示される画面の例を図８に示す。
【００３３】
図８は本発明の実施の形態１の表示画面を示す図である。
【００３４】
Ｓ１０４において、制御部１４は、選択された画像ファイル名をメールデータ格納部５に格納する。このとき、メールデータ格納部５には図９に示すデータが格納される。
【００３５】
図９は本発明の実施の形態１のデータを示す図である。
【００３６】
Ｓ１０５において、ユーザが指示部２により、メールの送信を指示する。
【００３７】
Ｓ１０６において、制御部１４は、画像データ解析部７を用い添付された画像データが圧縮されているかどうかを確認する。
【００３８】
画像データが圧縮されていない場合は、Ｓ１０７において、制御部１４は画像データ圧縮部１０を用いて圧縮を行い、圧縮されたデータのファイル名をメールデータ格納部５に格納する。このとき、メールデータ格納部５には図１０に示すデータが格納される。
【００３９】
図１０は本発明の実施の形態１のデータを示す図である。
【００４０】
Ｓ１０８において、制御部１４は、画像データ解析部７を用いて、画像ファイルのサイズを取得し、画像情報格納部８に格納する。このとき、画像情報格納部８には図１１に示すデータが格納される。
【００４１】
図１１は本発明の実施の形態１のデータを示す図である。
【００４２】
Ｓ１０９において、制御部１４は、メールサイズ上限を超えないように画像ファイルをグループ化し、画像情報格納部８に格納する。このとき、画像情報格納部８には図１２に示すデータが格納される。
【００４３】
図１２は本発明の実施の形態１のデータを示す図である。
【００４４】
Ｓ１１０において、制御部１４は、画像ファイルのグループ数分メールデータを作成し、メールデータ格納部５に格納し、メール宛先、タイトル、本文をコピーする。このとき、メールデータ格納部５には図１３に示すデータが格納される。
【００４５】
図１３は本発明の実施の形態１のデータを示す図である。
【００４６】
Ｓ１１１において、制御部１４は、画像情報格納部８の画像ファイル名をグーループ単位で、メールデータ格納部５に格納する。このとき、メールデータ格納部５には図１４に示すデータが格納される。
【００４７】
図１４は本発明の実施の形態１のデータを示す図である。
【００４８】
Ｓ１１２において、制御部１４は、ＭＩＭＥエンコード部１０を用いて画像ファイルエンコードし、メールデータ格納部５に格納する。このとき、メールデータ格納部５には図１５に示すデータが格納される。
【００４９】
図１５は本発明の実施の形態１のデータを示す図である。
【００５０】
Ｓ１１３において、制御部１４は、メールデータ送信部１２を用いて、メールデータ格納部に格納されているデータを順に送信する。
【００５１】
（実施の形態２）
次に、本発明の実施の形態２について図５、図１６〜図２５を用いて説明する。なお、実施の形態２における画像メール送信装置の構成は図１〜図３に示したものと同じであるので説明を省略する。
【００５２】
図５は本発明の実施の形態２の動作を示す概略フローチャートであり、以下説明する。
【００５３】
Ｓ２０１において、ユーザが、文字入力部１により、メール宛先、タイトル、本文を入力し、ユーザインタフェース部４が入力されたメール宛先、タイトル、本文を表示部３に表示する。このときの、表示部３に表示される画面の例を図１６に示す。
【００５４】
図１６は本発明の実施の形態２の表示画面を示す図である。
【００５５】
Ｓ２０２において、制御部１４は、入力されたメール宛先、タイトル、本文をメールデータ格納部５に格納する。このとき、メールデータ格納部５には図１７に示すデータが格納される。
【００５６】
図１７は本発明の実施の形態２のデータを示す図である。
Ｓ２０３において、ユーザが指示部２により、添付する画像データを複数選択し、ユーザインタフェース部４が選択された画像データの一覧を表示部３に表示する。このときの表示部３に表示される画面の例を図１８に示す。
【００５７】
図１８は本発明の実施の形態２の表示画面を示す図である。
【００５８】
Ｓ２０４において、制御部１４は選択された画像ファイル名をメールデータ格納部５に格納する。このとき、メールデータ格納部５には図１９に示すデータが格納される。
【００５９】
図１９に本発明の実施の形態２のデータを示す図である。
【００６０】
Ｓ２０５において、ユーザが指示部２により、メールの送信を指示する。
Ｓ２０６において、制御部１４は、画像データ解析部７を用いて画像ファイルのサイズを取得し、画像情報格納部８に格納する。このとき、画像情報格納部８には図２０に示すデータが格納される。
【００６１】
図２０は本発明の実施の形態２のデータを示す図である。
Ｓ２０７において、制御部１４は、画像ファイルサイズがあらかじめ設定していた閾値を越えるかどうかを確認する。
【００６２】
画像ファイルサイズが、あらかじめ設定していた閾値を越えていた場合、Ｓ２０８で制御部１４が画像ファイルが圧縮済みのデータであるかどうか確認する。
【００６３】
画像ファイルが圧縮済みのデータである場合、Ｓ２０９で制御部１４が画像データ解凍部９を用いて、画像データを一旦解凍する。
【００６４】
Ｓ２１０で制御部１４が圧縮率の設定を引き上げる。
【００６５】
Ｓ２１１で制御部１４が画像データ圧縮部１０を用いて、新しい圧縮率の設定で画像データを再度圧縮し、圧縮されたデータのファイル名をメールデータ格納部５に格納する。このとき、メールデータ格納部５には図２１に示すデータが格納される。
【００６６】
図２１は本発明の実施の形態２のデータを示す図である。
【００６７】
再度、Ｓ２０６、Ｓ２０７において、制御部１４は、画像ファイルサイズを確認する。
【００６８】
画像ファイルサイズが、あらかじめ設定していた閾値より小さければ、Ｓ２１２において、制御部１４はメールサイズ上限を超えないように画像ファイルをグループ化し、画像情報格納部８に格納する。このとき、画像情報格納部８には図２２に示すデータが格納される。
【００６９】
図２２は本発明の実施の形態２のデータを示す図である。
【００７０】
Ｓ２１３において、制御部１４は、画像ファイルのグループ数分メールデータを作成し、メールデータ格納部５に格納し、メール宛先、タイトル、本文をコピーする。このとき、メールデータ格納部５には図２３に示すデータが格納される。
【００７１】
図２３は本発明の実施の形態２のデータを示す図である。
【００７２】
Ｓ２１４において、制御部１４は、画像情報格納部８の画像ファイル名をグーループ単位で、メールデータ格納部５に格納する。このとき、メールデータ格納部５には図２４に示すデータが格納される。
【００７３】
図２４は本発明の実施の形態２のデータを示す図である。
【００７４】
Ｓ２１５において、制御部１４は、ＭＩＭＥエンコード部１０を用いて、画像ファイルエンコードしメールデータ格納部５に格納する。このとき、メールデータ格納部５には図２５に示すデータが格納される。
【００７５】
図２５は本発明の実施の形態２のデータを示す図である。
Ｓ２１６において、制御部１４は、メールデータ送信部１２を用いて、メールデータ格納部５に格納されているデータを順に送信する。
【００７６】
【発明の効果】
請求項１に記載の発明によれば、画像ファイルサイズの合計が閾値を超えている場合はファイル単位で分割してメール送信することで、メールサーバのサイズによる送信制限を回避することができ、任意のメーラで受信することができるメールを送信することができる。
【００７７】
請求項２に記載の発明によれば、画像ファイルサイズの合計が閾値を超えている場合はデータ圧縮を行い、それでもさらに閾値を超えている場合はファイル単位で分割してメール送信することで、メールサーバのサイズによる送信制限を回避することができ、任意のメーラで受信することができるメールを送信することができる。
【００７８】
請求項３に記載の発明によれば、前記圧縮された画像データを解凍手段により解凍できるという作用を有する。
【００７９】
請求項４に記載の発明によれば、画像ファイルの圧縮率を調整し、送信サイズ制限以下になるよう画像ファイルを個別に送信することで、メールサーバのサイズによる送信制限を回避することができ、任意のメーラで受信することができるメールを送信することができる。
【００８０】
請求項５に記載の発明によれば、画像ファイルサイズの合計が閾値を超えている場合はファイル単位で分割してメール送信することで、メールサーバのサイズによる送信制限を回避することができ、任意のメーラで受信することができるメールを送信することができる。
【００８１】
請求項６に記載の発明によれば、前記画像ファイルサイズの合計が閾値を超えている場合はデータ圧縮を行い、それでもさらに閾値を超えている場合はファイル単位で分割してメール送信することで、メールサーバのサイズによる送信制限を回避することができ、任意のメーラで受信することができるメールを送信することができる。
【００８２】
請求項７に記載の発明によれば、前記圧縮された画像データを解凍手段により解凍できるという作用を有する。
【００８３】
請求項８に記載の発明によれば、画像ファイルの圧縮率を調整し、送信サイズ制限以下になるよう画像ファイルを個別に送信することで、メールサーバのサイズによる送信制限を回避することができ、かつ、任意のメーラで受信することができるメールを送信することができる。
【図面の簡単な説明】
【図１】本発明の実施の形態１および２のブロック図
【図２】本発明の実施の形態１および２のハードウェア構成図
【図３】本発明の実施の形態１および２の赤外線リモコンの概要図
【図４】本発明の実施の形態１の動作を示す概略フローチャート
【図５】本発明の実施の形態２の動作を示す概略フローチャート
【図６】本発明の実施の形態１の表示画面を示す図
【図７】本発明の実施の形態１のデータを示す図
【図８】本発明の実施の形態１の表示画面を示す図
【図９】本発明の実施の形態１のデータを示す図
【図１０】本発明の実施の形態１のデータを示す図
【図１１】本発明の実施の形態１のデータを示す図
【図１２】本発明の実施の形態１のデータを示す図
【図１３】本発明の実施の形態１のデータを示す図
【図１４】本発明の実施の形態１のデータを示す図
【図１５】本発明の実施の形態１のデータを示す図
【図１６】本発明の実施の形態２の表示画面を示す図
【図１７】本発明の実施の形態２のデータを示す図
【図１８】本発明の実施の形態２の表示画面を示す図
【図１９】本発明の実施の形態２のデータを示す図
【図２０】本発明の実施の形態２のデータを示す図
【図２１】本発明の実施の形態２のデータを示す図
【図２２】本発明の実施の形態２のデータを示す図
【図２３】本発明の実施の形態２のデータを示す図
【図２４】本発明の実施の形態２のデータを示す図
【図２５】本発明の実施の形態２のデータを示す図
【符号の説明】
１  文字入力部
２  指示部
３  表示部
４  ユーザインタフェース部
５  メールデータ格納部
６  画像ファイル格納部
７  画像データ解析部
８  画像情報格納部
９  画像データ解凍部
１０  画像データ圧縮部
１１  ＭＩＭＥエンコード部
１２  メールデータ送信部
１３  通信部
１４  制御部
１５  ＣＰＵ
１６  ＲＡＭ
１７  ＲＯＭ
１８  ネットワーク装置
１９  リモコン受信部
２０  表示装置
２１  読取装
【図１】
2004234454.tif 000003
【図２】
2004234454.tif 000004
【図３】
2004234454.tif 000005
【図４】
2004234454.tif 000006
【図５】
2004234454.tif 000007
【図６】
2004234454.tif 000008
【図７】
2004234454.tif 000009
【図８】
2004234454.tif 000010
【図９】
2004234454.tif 000011
【図１０】
2004234454.tif 000012
【図１１】
2004234454.tif 000013
【図１２】
2004234454.tif 000014
【図１３】
2004234454.tif 000015
【図１４】
2004234454.tif 000016
【図１５】
2004234454.tif 000017
【図１６】
2004234454.tif 000018
【図１７】
2004234454.tif 000019
【図１８】
2004234454.tif 000020
【図１９】
2004234454.tif 000021
【図２０】
2004234454.tif 000022
【図２１】
2004234454.tif 000023
【図２２】
2004234454.tif 000024
【図２３】
2004234454.tif 000025
【図２４】
2004234454.tif 000026
【図２５】
2004234454.tif 000027